(57)【要約】【課題】開口した状態を保持することができる包装袋を提供する。【解決手段】表フィルム１１と裏フィルム１２を重ね合わせサイドシール部１３を設けた袋本体１００と、開口保持部材２００とからなる包装袋であって、開口保持部材は、表フィルムを外側に広げる表用保持部２１と、裏フィルムを外側に広げる裏用保持部２２とからなり、表用保持部と裏用保持部のそれぞれの中央部には、外側に広げるときに折り曲がり易くする易屈曲部２３が設けられ、表用保持部と裏用保持部の両端で結合する結合部２４を有し、結合部を表フィルムと裏フィルムの間に挟んでサイドシール部を設けることにより、開口保持部材が袋本体に取り付けられ、開口保持部材には、外側に広がった状態を保持するロック機構２５が設けられ、ロック機構は、易屈曲部から折り曲げたときに嵌合する左右一対のロック部２５ａ、２５ｂからなる。【選択図】図２
2014210587.tif 000002
【特許請求の範囲】
【請求項１】
表フィルムと裏フィルムを重ね合わせサイドシール部を設けた袋本体と、開口保持部材とからなる包装袋であって、
前記開口保持部材は、前記表フィルムを外側に広げる表用保持部と、前記裏フィルムを外側に広げる裏用保持部とからなり、前記表用保持部と前記裏用保持部のそれぞれの中央部には、外側に広げるときに折り曲がり易くする易屈曲部が設けられ、前記表用保持部と前記裏用保持部の両端で結合する結合部を有し、該結合部を前記表フィルムと前記裏フィルムの間に挟んで前記サイドシール部を設けることにより、前記開口保持部材が前記袋本体に取り付けられ、前記開口保持部材には、外側に広がった状態を保持するロック機構が設けられ、該ロック機構は、前記易屈曲部から折り曲げたときに嵌合する左右一対のロック部からなることを特徴とする包装袋。
【請求項２】
前記左右一対のロック部は、一方のロック部に設けられた突起部が、他方のロック部に設けられたあな部に嵌まり込んで嵌合することを特徴とする請求項１に記載の包装袋。
【請求項３】
前記結合部の表面には、縦方向のリブが設けられていることを特徴とする請求項１または２に記載の包装袋。
【請求項４】
前記結合部の外側に、取っ手取付け部が設けられていることを特徴とする請求項１から３のいずれか１項に記載の包装袋。
【発明の詳細な説明】
【技術分野】
【０００１】
本発明は、包装袋に関するものである。特に、開口部を保持できる機能を有する包装袋に関するものである。
【背景技術】
【０００２】
ペンキや、床用ワックス、グリス、接着剤などは、その収納された容器内に、刷毛やヘラ、あるいはローラーなどの道具の先を入れて使うことが多く、その容器には、広く開口した状態で保持される金属缶やプラスチック容器が用いられている。
【０００３】
これらの金属缶やプラスチック容器は、廃棄する際に、減容化できず、廃棄しにくい。又、コスト的にも高価になってしまう。これらの点から廃棄しやすく、安価にできる代替品が望まれている。普通の包装袋では、広く開口した状態で保持することができないが、この点が解決できれば、代替が可能である。
【０００４】
このような、開口した状態を保持できる袋として、袋状体の開口部に、例えば延伸倍率１０〜４０倍の延伸オレフィン系樹脂シートなどの形状保持性シートが積層され、袋状体の開口部を開くように、形状保持性シートを延伸方向と略直角に折り曲げることにより、折り曲げた形状が保持される袋がある（特許文献１）。
【０００５】
このような、形状保持性シートは特殊なものであり入手が難しく高価である。また、袋を開口したときの状態を完全に保持することができるとは限らない。
【０００６】
公知文献を以下に示す。
【先行技術文献】
【特許文献】
【０００７】
【特許文献１】特開２００４−２９９６８９号公報
【発明の概要】
【発明が解決しようとする課題】
【０００８】
本発明は上記した事情に鑑みてなされたもので、開口した状態を保持することができる包装袋を提供することを課題としている。
【課題を解決するための手段】
【０００９】
本発明の請求項１に係る発明は、表フィルムと裏フィルムを重ね合わせサイドシール部を設けた袋本体と、開口保持部材とからなる包装袋であって、
前記開口保持部材は、前記表フィルムを外側に広げる表用保持部と、前記裏フィルムを外側に広げる裏用保持部とからなり、前記表用保持部と前記裏用保持部のそれぞれの中央部には、外側に広げるときに折り曲がり易くする易屈曲部が設けられ、前記表用保持部と前記裏用保持部の両端で結合する結合部を有し、該結合部を前記表フィルムと前記裏フィルムの間に挟んで前記サイドシール部を設けることにより、前記開口保持部材が前記袋本体に取り付けられ、前記開口保持部材には、外側に広がった状態を保持するロック機構が設けられ、該ロック機構は、前記易屈曲部から折り曲げたときに嵌合する左右一対のロック部からなることを特徴とする包装である。
【００１０】
本発明の請求項２に係る発明は、前記左右一対のロック部は、一方のロック部に設けられた突起部が、他方のロック部に設けられたあな部に嵌まり込んで嵌合することを特徴と
する請求項１に記載の包装袋である。
【００１１】
本発明の請求項３に係る発明は、前記結合部の表面には、縦方向のリブが設けられていることを特徴とする請求項１または２に記載の包装袋である。
【００１２】
本発明の請求項４に係る発明は、前記結合部の外側に、取っ手取付け部が設けられていることを特徴とする請求項１から３のいずれか１項に記載の包装袋である。
【発明の効果】
【００１３】
本発明の包装袋は、開口した状態を保持することができる。そのため、金属缶やプラスチック容器のような、広く開口された状態で使用することのある容器の代替として用いることができ、廃棄する際に、減容化して廃棄することができる。
【図面の簡単な説明】
【００１４】
【図１】本発明の包装袋の一例を模式的に正面で示した説明図である。
【図２】本発明の包装袋の一例で、開口を保持した状態を平面で示した説明図である。
【図３】本発明の包装袋の一例に用いる開口保持部材の説明図である。（Ａ）正面図である。（Ｂ）背面図である。
【図４】本発明の包装袋の一例に用いる開口保持部材で、やや開いた状態を平面で示した説明図である。
【図５】本発明の包装袋の一例に用いる開口保持部材のロック機構を平面で示した説明図である。（Ａ）平面図である。（Ｂ）正面図である。
【図６】本発明の包装袋の一例に用いる開口保持部材のロック機構でロックした状態を平面で示した説明図である。（Ａ）平面図である。（Ｂ）正面図である。
【図７】本発明の包装袋の一例で、開口して保持させ、取っ手を取り付けた状態を説明する概念図である。
【図８】本発明の包装袋の他の例で、開口して保持させ、取っ手を取り付けた状態を説明する概念図である。
【図９】本発明の包装袋の更に他の例で、ジッパーを取り付けた状態を模式的に正面で示した説明図である。
【発明を実施するための形態】
【００１５】
以下、本発明を実施するための形態につき説明する。
図１は、本発明の包装袋の一例を模式的に正面で示した説明図である。図２は、本発明の包装袋の一例で、開口を保持した状態を平面で示した説明図である。
【００１６】
本例の包装袋は、図１の正面図に示すように、袋本体１００と開口保持部材２００とからなっている。袋本体１００のサイドシール部１３、１３の上端近傍には、その左右にノッチ１３ａ、１３ａを設けていて、ノッチ１３ａ、１３ａ間には、レーザー加工によるハーフカット線１４が設けられている。
【００１７】
図２の平面図のように、開口保持部材２００は、袋本体１００の表フィルム１１を外側に広げる表用保持部２１と、裏フィルム１２を外側に広げる裏用保持部２２とからなり、表用保持部２１と裏用保持部２２のそれぞれの中央部には、外側に広げるときに折り曲がり易くするための、易屈曲部２３が設けられ、表用保持部２１と裏用保持部２２はその両端で結合し、結合部２４、２４を有している。本例では、易屈曲部２３は薄肉部で設けられている。
【００１８】
そして、結合部２４、２４を表フィルム１１と裏フィルム１２の間に挟んでサイドシール部１３、１３を設けることにより、開口保持部材２００が袋本体１００に取り付けられ
ている。
【００１９】
また、開口保持部材２００には、外側に広げた状態で止めておくためのロック機構２５が設けられている。ロック機構２５は、易屈曲部２３から折り曲げたときに嵌合する左右一対のロック部２５ａ、２５ｂとからなっている。
【００２０】
結合部２４、２４の外側には、取っ手を取り付けるための取っ手取付け部２６、２６が設けられている。本例では、取っ手取付け部２６、２６の中央部分に貫通孔２７が設けられていて、取っ手に設けられた突起が嵌合して取り付けるようになっている。
【００２１】
図３は、本発明の包装袋の一例に用いる開口保持部材の説明図である。（Ａ）正面図である。（Ｂ）背面図である。図４は、本発明の包装袋の一例に用いる開口保持部材で、やや開いた状態を平面で示した説明図である。図５は、本発明の包装袋の一例に用いる開口保持部材のロック機構を平面で示した説明図である。（Ａ）平面図である。（Ｂ）正面図である。図６は、本発明の包装袋の一例に用いる開口保持部材のロック機構でロックした状態を平面で示した説明図である。（Ａ）平面図である。（Ｂ）正面図である。
【００２２】
表用保持部２１は、図３のように、上下２本からなり、その間に裏用保持部２２が設けられている。表用保持部２１と裏用保持部２２は、その両端で結合して結合部２４、２４が設けられ、更にその外側に取っ手取付け部２６、２６が設けられている。
【００２３】
結合部２４、２４は、図４のように、膨らんだ形状になっていて、その表面に縦方向に凸状の複数のリブ２４ａが設けられている。これを設けることによって、結合部２４、２４を表フィルム１１と裏フィルム１２の間に挟んでサイドシール部１３、１３を設けるとき、リブ２４ａが融けて表フィルム１１と裏フィルム１２に融着して、確実にシールされ、内容物が漏れない様に密封することができる。
【００２４】
表用保持部２１と裏用保持部２２には、それぞれ外側に広げるときに折り曲がり易くするためにそれぞれの中央部に易屈曲部２３が設けられている。また、結合部２４の近傍には易屈曲部２８が設けられている。易屈曲部２８も易屈曲部２３と同様に薄肉部で設けられている。
【００２５】
また、表用保持部２１と裏用保持部２２には、それぞれ、表フィルム１１や裏フィルム１２と部分的に接着させる接着部２９を設けることができる。取っ手取付け部２６には、中央部分に貫通孔２７が設けられていて、取っ手が嵌合して取り付けられるようになっている。
【００２６】
ロック機構２５は、図５の（Ａ）平面図、（Ｂ）正面図のような形状で、易屈曲部２３の左右に設けられた一対のロック部２５ａ、２５ｂからなっている。ロック機構２５は、易屈曲部２３で表用保持部２１あるいは裏用保持部２２を折り曲げたときに、図６の（Ａ）平面図、（Ｂ）正面図のように、一方のロック部２５ａの上面に設けられた突起部２５ｃが、他方のロック部２５ｂに設けられたあな部２５ｄに嵌まり込んで嵌合する。本例ではあな部２５ｄは貫通した孔で設けたが、窪んだ穴にしても良い。
【００２７】
このように、ロック機構２５により、開口保持部材２００が開口した状態で保持することができるので、これを取り付けた袋本体１００の開口部も、図２のように、開口状態で保持することができる。
【００２８】
図７は、本発明の包装袋の一例で、開口して保持させ、取っ手を取り付けた状態を説明する概念図である。図８は、本発明の包装袋の他の例で、開口して保持させ、取っ手を取
り付けた状態を説明する概念図である。図９は、本発明の包装袋の更に他の例で、ジッパーを取り付けた状態を模式的に正面で示した説明図である。
【００２９】
上記のように、袋本体１００の開口部を開口状態で保持した状態から、貫通孔２７を利用して、図７のように、取っ手取付け部２６、２６に取っ手３００を取り付けることができる。
【００３０】
図７のような包装袋では、使用途中で床などに置くことは出来ないが、図８のように、袋本体１００の底部分を、底テープを差し込んでシールした船底シール１５などによって、スタンディングパウチにすれば、床などの上に置いても、内容物をこぼすことがないので使い勝手が良い。
【００３１】
また、図９のように、天シール部１６と開口保持部材２００の間に、ジッパー１７を取り付けることもできる。ジッパー１７を取り付けることにより、開封後、再度包装袋を密封することができる。
【００３２】
すなわち、取っ手３００を外して、包装袋の外から押して折り畳み、ジッパー１７で密封すれば再封することができる。また、このときロック機構２５は、ロック部２５ａとロック部２５ｂの嵌合が外れて、表用保持部２１と裏用保持部２２が平坦になる。
【００３３】
袋本体１００は、表フィルム１１や裏フィルム１２が単層のフィルムであっても良いが、基材層とシーラント層からなる積層フィルムであることが好ましい。また、必要に応じて、基材層とシーラント層の間にバリア層を設けることができる。
【００３４】
単層のフィルムやシーラント層は、熱可塑性樹脂からなっている。厚さとしては、４０μｍから２００μｍが好ましい。また、開口保持部材２００は、インジェクション成形などによって作ることができる。
【００３５】
開口保持部材２００は、結合部２４、２４を表フィルム１１と裏フィルム１２の間に挟んでサイドシール部１３、１３を設けたために、少なくとも、結合部２４、２４の外表面の樹脂が、袋本体１００のシーラント層の熱可塑性樹脂と熱シール可能な樹脂でなければならない。
【００３６】
基材層には、ポリエチレンテレフタレートやナイロン、ポリプロピレンなどの延伸フィルムなどを使用することができる。また、バリア層には、アルミニウム箔などの金属箔や、金属蒸着層、無機酸化物蒸着層など、あるいはバリア性の高い樹脂フィルムなどを用いることが出来る。
【００３７】
このように、本発明の包装袋は、特殊な材料を用いることなく、汎用の材料を使用することができ、安価な材料を用いることが出来る。
【００３８】
以上のように、本発明の包装袋は、安価な材料で作ることができ、開口した状態で保持することができる。そのため、金属缶やプラスチック容器など広く開口された状態で使用することのある容器の代替として用いることが出来、また、刷毛やヘラなどに付けた余分な塗布液などを、開口保持部材２００の表用保持部２１や裏用保持部２２で袋本体１００内に掻き落とすことができる。また、廃棄のする際には減容化して廃棄することができ、環境にもやさしい。
【符号の説明】
【００３９】
１００・・・袋本体
２００・・・開口保持部材
３００・・・取っ手
１１・・・表フィルム
１２・・・裏フィルム
１３、１３・・・サイドシール部
１３ａ、１３ａ・・・ノッチ
１４・・・ハーフカット線
１５・・・船底シール
１６・・・天シール部
１７・・・ジッパー
２１・・・表用保持部
２２・・・裏用保持部
２３、２８・・・易屈曲部
２４、２４・・・結合部
２４ａ・・・リブ
２５、２５・・・ロック機構
２５ａ、２５ｂ・・・ロック部
２５ｃ・・・突起部
２５ｄ・・・あな部
２６、２６・・・取っ手取付け部
２７・・・貫通孔
２９・・・接着部
【図１】
2014210587.tif 000003
【図２】
2014210587.tif 000004
【図３】
2014210587.tif 000005
【図４】
2014210587.tif 000006
【図５】
2014210587.tif 000007
【図６】
2014210587.tif 000008
【図７】
2014210587.tif 000009
【図８】
2014210587.tif 000010
【図９】
2014210587.tif 000011